(57)【特許請求の範囲】
【請求項１】
塵芥収容箱と、前記塵芥収容箱の後方開口部に連設された塵芥投入箱であり、塵芥投入口から投入された塵芥を、前記後方開口部を通じて前記塵芥収容箱へ積み込む塵芥積込装置を備えた塵芥投入箱とを有する塵芥収集車の火災検知装置であって、
前記塵芥投入箱の内部の後方上部領域に設置され、前記塵芥積込装置により前記塵芥が圧縮される部位から発せられる遠赤外線を検出するパッシブセンサーと、
前記パッシブセンサーへの入射経路を覆うポリエチレン製のカバーと
を有する塵芥収集車の火災検知装置。
【請求項２】
前記パッシブセンサーは、遠赤外線の波長領域に対する吸収率が０．１以下の素材により包まれたものである請求項１記載の塵芥収集車の火災検知装置。
【請求項３】
前記素材は、アルミニウムシートである請求項２記載の塵芥収集車の火災検知装置。
【請求項４】
前記パッシブセンサーへの入射経路の周囲を覆い、前記塵芥積込装置により前記塵芥が圧縮される部位に向けて開口した筒状部を有する請求項１から３のいずれか１項に記載の塵芥収集車の火災検知装置。
【請求項５】
前記筒状部は、ポリ塩化ビニール製である請求項４記載の塵芥収集車の火災検知装置。
【請求項６】
前記パッシブセンサーは、遠赤外線を選択する干渉フィルターと、前記干渉フィルターを透過した遠赤外線を受ける焦電体とを有する請求項１から５のいずれか１項に記載の塵芥収集車の火災検知装置。
【請求項７】
請求項１から６のいずれか１項に記載の塵芥収集車の火災検知装置を有する塵芥収集車。
【発明の詳細な説明】
【技術分野】
【０００１】
本発明は、塵芥収集車において塵芥積み込み時の圧縮や摩擦等の影響により発生する火災を検知する火災検知装置およびこれを用いた塵芥収集車に関する。
【背景技術】
【０００２】
塵芥収集車で収集する塵芥には、紙やプラスチックなどの可燃性廃棄物の他に、ライターや可燃性ガスボンベなどの引火性廃棄物が混入していることがある。そのため、引火性廃棄物が塵芥積み込み時の圧縮や摩擦等の影響で発火して、塵芥収容箱内で火災（内部火災）が発生することがある。そこで、このような内部火災の消火や延焼防止などを目的として、種々の装置やシステムが提案されている。
【０００３】
例えば、特許文献１には、貯水タンクと、該貯水タンクから配水管を介して供給された水を浮遊可能な粒径にて噴射する噴射ノズルとを備え、該噴射ノズルは、塵芥収容箱の後方上部に設置され、そのノズル口が、塵芥収容空間の後方上部領域の塵芥が積み込まれない空き空間内に配置されたプレス式塵芥収集車の延焼防止装置が開示されている。なお、この延焼防止装置では、塵芥収容空間の後方上部領域や塵芥投入箱の内部上方領域における温度変化を温度センサーで計測し、複数設置した温度センサーのいうち、いずれか１つの温度センサーが２００℃を計測した時点で作動するように構成されている。
【０００４】
また、塵芥収集車内の火災検知に関して、例えば特許文献２には、温度センサーとして、熱電対や温度サーミスタ等の種々のセンサーを用いることができる旨記載されている。さらに、例えば特許文献３には、塵芥収容箱と塵芥投入箱との隣接部分であって、塵芥収容箱上部のパイプチャンネル上部に光電式煙探知機を設置し、火災の発生を検知することが記載されている。
【先行技術文献】
【特許文献】
【０００５】
【特許文献１】特許第５６８３８６９号公報（請求項１、段落００２９）
【特許文献２】特許第５３０１３４５号公報（段落００４９）
【特許文献３】特開２００３−２６３０３号公報（段落００１６、図４）
【発明の概要】
【発明が解決しようとする課題】
【０００６】
上記のように、従来、塵芥収集車内の火災検知は、温度センサーや煙センサーなどにより行われているが、煙センサーでは火災の発生から検知までに２０〜３０秒の時間を要し、温度センサーでも検知までに１０秒程度の時間を要する。そのため、火災を検知した時点で既に延焼が進んでしまっていることがある。
【０００７】
そこで、本発明においては、火災の発生を瞬時に検知することが可能な塵芥収集車の火災検知装置およびこれを用いた塵芥収集車を提供することを目的とする。
【課題を解決するための手段】
【０００８】
本発明の塵芥収集車の火災検知装置は、塵芥収容箱と、塵芥収容箱の後方開口部に連設された塵芥投入箱であり、塵芥投入口から投入された塵芥を、後方開口部を通じて塵芥収容箱へ積み込む塵芥積込装置を備えた塵芥投入箱とを有する塵芥収集車の火災検知装置であって、塵芥投入箱の内部の後方上部領域に設置され、塵芥積込装置により塵芥が圧縮される部位から発せられる遠赤外線を検出するパッシブセンサーと、パッシブセンサーへの入射経路を覆うポリエチレン製のカバーとを有するものである。
【０００９】
本発明の塵芥収集車の火災検知装置では、人感センサーとしても用いられるパッシブセンサーを、その入射経路をポリエチレン製のカバーにより覆うことで低感度化し、塵芥積込装置により塵芥が圧縮される部位から発生した火災により発せられる遠赤外線を瞬時に検知することが可能となる。
【００１０】
ここで、パッシブセンサーは、遠赤外線の波長領域に対する吸収率が０．１以下の素材により包まれたものであることが望ましい。これにより、パッシブセンサーが火災とは無関係の周囲の遠赤外線、すなわち、塵芥積込装置により塵芥が圧縮される部位から発生した火災により発せられる遠赤外線以外の遠赤外線を検知しないようにすることができる。
【００１１】
また、本発明の火災検知装置は、パッシブセンサーへの入射経路の周囲を覆い、塵芥積込装置により塵芥が圧縮される部位に向けて開口した筒状部を有することが望ましい。これにより、パッシブセンサーにより検知する遠赤外線を、塵芥積込装置により塵芥が圧縮される部位に限定することが可能となる。
【発明の効果】
【００１２】
（１）塵芥投入箱の内部の後方上部領域に設置され、塵芥積込装置により塵芥が圧縮される部位から発せられる遠赤外線を検出するパッシブセンサーと、パッシブセンサーへの入射経路を覆うポリエチレン製のカバーとを有する構成により、塵芥積込装置により塵芥が圧縮される部位から発生した火災により発せられる遠赤外線を瞬時に検知して、延焼を防止することが可能となる。
【００１３】
（２）パッシブセンサーが、遠赤外線の波長領域に対する吸収率が０．１以下の素材により包まれたものであることにより、塵芥積込装置により塵芥が圧縮される部位から発生した火災により発せられる遠赤外線以外の遠赤外線を検知しないようにして誤検知を防止することが可能となる。
【００１４】
（３）パッシブセンサーへの入射経路の周囲を覆い、塵芥積込装置により塵芥が圧縮される部位に向けて開口した筒状部を有することにより、パッシブセンサーにより検知する遠赤外線を、塵芥積込装置により塵芥が圧縮される部位に限定し、より誤検知を防止することが可能となる。
【図面の簡単な説明】
【００１５】
【図１】本発明の実施の形態における塵芥収集車の内部構造を示す側面図である。
【図２】図１の塵芥投入箱内に設置された火災検知装置の断面図である。
【発明を実施するための形態】
【００１６】
図１は本発明の実施の形態における塵芥収集車の内部構造を示す側面図、図２は図１の塵芥投入箱内に設置された火災検知装置の断面図である。なお、以下の説明において、前後左右の各方向は、塵芥収集車の進行（前進）方向を基準とする。
【００１７】
図１において、本発明の実施の形態における塵芥収集車１は、車体２上に塵芥収容箱３が搭載されたものである。塵芥収容箱３の後端の後方開口部３Ａには、塵芥投入箱４が連設されている。塵芥投入箱４の後部には、塵芥を投入する塵芥投入口４Ａが開口されている。塵芥投入箱４の内部には、塵芥投入口４Ａから投入された塵芥を、後方開口部３Ａを通じて塵芥収容箱３に積み込む回転式の塵芥積込装置５が備えられている。
【００１８】
塵芥積込装置５は、車体２の前後方向に揺動する押込板２０と、この押込板２０の下端付近に回転中心を有して正逆転する回転板２１とを備える。押込板２０は、塵芥投入箱４の幅方向全体に亘って延設され、かつ塵芥収容箱３の後方開口部３Ａに対向するように配設されている。この押込板２０の上部は、塵芥投入箱４の左右両側壁の中央付近の中心軸２０Ａよりも上方に延びる延設部２０Ｂが設けられている。延設部２０Ｂの先端には、左右一対の押込シリンダ２２の先端が連設されている。この押込シリンダ２２の伸縮動作により、押込板２０が中心軸２０Ａ周りに車体２の前後方向に揺動するようになっている。
【００１９】
回転板２１は、押込板２０の下側に設けられている。回転板２１は、押込板２０の下端付近に回転中心としての回転軸２１Ａを有し、塵芥投入箱４の断面略半円弧状に形成された底壁４Ｄに沿って回転軸２１Ａ周りに回転するように構成されている。
【００２０】
また、塵芥投入箱４内には、塵芥積込装置５の上部の押込シリンダ２２の下側と塵芥収容箱３の後方開口部３Ａ側とを仕切る仕切板６が設けられている。仕切板６は、塵芥投入箱４の幅方向全体に亘って設けられている。この仕切板６によって、塵芥投入箱４内は、塵芥積込装置５の押込シリンダ２２が収容される側である機械室４Ｂと、塵芥収容箱３の後方開口部３Ａへ塵芥が投入される側である塵芥室４Ｃとに区分されている。
【００２１】
また、本実施形態における塵芥収集車１には、塵芥収容箱３の上壁および仕切板６の下面に、延焼抑制用液体Ｗを噴射する火災延焼抑制装置としてのノズル８が設けられている。また、仕切板６の機械室４Ｂ側の上方にも、仕切板６の上面に向けて水や不燃性液等の延焼抑制用液体Ｗを噴射する火災延焼抑制装置としてのノズル９が設けられている。ノズル９は、仕切板６の幅方向全体に亘って満遍なく延焼抑制用液体Ｗが散布されるように、水平方向に複数設けられている。
【００２２】
また、本実施形態における塵芥収集車１は、塵芥投入箱４の内部の後方上部領域に設置された火災検知装置１０を備えている。火災検知装置１０は、図２に示すように、パッシブセンサー１１と、パッシブセンサー１１への入射経路の周囲を覆う筒状部１２と、パッシブセンサー１１の入射経路を覆うポリエチレン製のカバー１３とを有する。
【００２３】
パッシブセンサー１１は、主に人感センサーとして用いられる公知のものであり、筐体内に設けられた焦電体（感熱素子）１１Ａと、遠赤外線を選択する干渉フィルター１１Ｂとを備える。パッシブセンサー１１は、干渉フィルター１１Ｂを透過した遠赤外線を焦電体１１Ａにより受けて信号を発するセンサーである。また、本実施形態において、パッシブセンサー１１は、遠赤外線の波長領域に対する吸収率が０．１以下の素材（本実施形態においては、アルミニウムシート１４）により包まれている。
【００２４】
筒状部１２は、パッシブセンサー１１への遠赤外線の入射経路の周囲を覆い、塵芥積込装置５により塵芥が圧縮される部位に向けて開口したものである。塵芥が圧縮される部位とは、主に押込板２０の揺動範囲および回転板２１の回転範囲である。なお、本実施形態において筒状部１２はポリ塩化ビニール製であるが、熱伝導率が同程度より低いものであれば良い。
【００２５】
カバー１３は、遠赤外線の透過率を調整するためのものであり、本実施形態においては、厚さ２ｍｍのポリエチレンカバーを二重に設けたものである。このカバー１３の厚さはパッシブセンサー１１の感度に応じて適宜調整する。また、カバー１３の先端は平面となっているが、曲面など他の形状でも良い。
【００２６】
上記構成の火災検知装置１０では、人感センサーとしても用いられるパッシブセンサー１０を、その入射経路をポリエチレン製のカバー１３により覆うことで低感度化し、塵芥積込装置５により塵芥が圧縮される部位から発生した火災により発せられる遠赤外線を瞬時に検知することが可能となっている。そして、火災検知装置１０により火災が検知された際には、ノズル８やノズル９から延焼抑制用液体Ｗを噴射して、火災の延焼を抑制する。
【００２７】
また、本実施形態における火災検知装置１０では、パッシブセンサー１１が、遠赤外線の波長領域に対する吸収率が０．１以下の素材であるアルミニウムシート１４により包まれているため、パッシブセンサー１１が火災とは無関係の周囲の遠赤外線、すなわち、塵芥積込装置５により塵芥が圧縮される部位から発生した火災により発せられる遠赤外線以外の遠赤外線を検知しないようにしており、誤検知が防止されている。
【００２８】
さらに、本実施形態における火災検知装置１０は、パッシブセンサー１１への入射経路の周囲を覆い、塵芥積込装置５により塵芥が圧縮される部位に向けて開口した筒状部１２を有するため、パッシブセンサー１１により検知する遠赤外線を、塵芥積込装置５により塵芥が圧縮される部位に限定して、より誤検知が防止されている。
【００２９】
なお、上記実施形態においては、回転式の塵芥積込装置５を備えた塵芥収集車１について説明したが、圧縮式の塵芥積込装置を備えた塵芥収集車にも同様に適用することが可能である。
【実施例】
【００３０】
上記実施形態における火災検知装置１０について試験を行った結果を表１に示す。試験はカバー１３の厚さを４ｍｍ、３ｍｍ、２ｍｍとし、それぞれアルミニウムシート１４で覆ったものと覆っていないものとについて（実施例１〜６）、人およびライターの炎に対して近づけていき、反応した時点での距離を測定した。なお、カセットボンベガスについては、３．０ｍの距離に置いて反応の有無を調べた。また、比較例として裸のパッシブセンサー１１について試験した。なお、ライターの炎は８００℃程度であり、カセットボンベガスの発火は１５００℃程度である。
【００３１】
【表１】
0006054569.tif 000002
【００３２】
表１から分かるように、アルミニウムシート１４の有無にかかわらず、実施例１〜６では人への反応は無く、カセットボンベガスの発火に対して３．０ｍで反応した。一方、比較例ではカセットボンベガスの発火に対して３．０ｍで反応しているが、人に対しても１０ｍで反応した。また、実施例１ではライターの炎に対して反応はなく、カセットボンベガスの発火のみを検出した。また、実施例２〜４ではライターの炎に対して０．０５ｍ〜０．１０ｍまで反応せず、日中の塵芥投入箱４内の温度変化に対しても誤作動は起こらないものと思われる。
【産業上の利用可能性】
【００３３】
本発明の塵芥収集車の火災検知装置は、塵芥積み込み時の圧縮や摩擦等の影響により発生する火災を検知する装置として有用である。
【符号の説明】
【００３４】
１  塵芥収集車
２  車体
３  塵芥収容箱
３Ａ  後方開口部
４  塵芥投入箱
４Ａ  塵芥投入口
４Ｂ  機械室
４Ｃ  塵芥室
４Ｄ  底壁
５  塵芥積込装置
６  仕切板
８，９  ノズル
１０  火災検知装置
１１  パッシブセンサー
１１Ａ  焦電体
１１Ｂ  干渉フィルター
１２  筒状部
１３  カバー
２０  押込板
２１  回転板
２２  押込シリンダ
【要約】
【課題】火災の発生を瞬時に検知することが可能な塵芥収集車の火災検知装置およびこれを用いた塵芥収集車の提供。
【解決手段】塵芥収容箱と、塵芥収容箱の後方開口部に連設された塵芥投入箱であり、塵芥投入口から投入された塵芥を、後方開口部を通じて塵芥収容箱へ積み込む塵芥積込装置を備えた塵芥投入箱とを有する塵芥収集車の火災検知装置１０であって、塵芥投入箱の内部の後方上部領域に設置され、塵芥積込装置により塵芥が圧縮される部位から発せられる遠赤外線を検出するパッシブセンサー１１と、パッシブセンサー１１への入射経路を覆うポリエチレン製のカバー１３とを有する。
【選択図】図２【図１】
0006054569.tif 000003
【図２】
0006054569.tif 000004